(57)【要約】〔課題〕足首から足先にかけて、傷をしたり、骨折や捻挫をして包帯をしたり、ギブスを付けて、既製の履物が履けない場合に使用できる、医療用のサンダルの提供を目的とする。〔解決手段〕本願に於いて、台座に作った空間に、包帯状の平紐を通して、一重通しで縛り、二重通しめで括る容量で、足に台座を固定できて、足に包帯やギブスによって、既製品の履物が履けない状態の足の、医療用サンダルとなる。又、台座の空間に、平紐を通すのに、ゴム通し様の道具を使用すると道具を使わずに、平紐を台座の空間に通すよりも、簡単に通せて便利である。又、包帯状の平紐は、足の大きさにより、その長さはそれぞれ変わるが、変形した足を台座に括り付けた後に、包帯状に捲かれた端を切断するのである。【選択図】図３
2004105672.tif 000002
【特許請求の範囲】
【請求項１】
板状の上板と其の下部のスポンジゴムより成る、台座との間に空間を作り、其の空間に包帯状の平紐を通して、台座の上に置いた足を、括れる構造の医療用のサンダル。
【請求項２】
請求項１に記載の空間は、足の爪先部、中央部、踵部に、長方形に作り、それぞれに、包帯状の平紐を通して、平紐を前後に移動を可能にし、台座の上に置いた足に、平紐を括り安い位置を、選択できる、医療用のサンダル。
【請求項３】
台座上部の平板の両側面に、鋸刃状の凹凸を作り、台座の各空間に通した、包帯状の平紐を、足に括り付けた時に、平紐が其の凹凸に喰い込みで括った平紐の前後への位置ズレを防ぐ事が出来る、請求項１又は請求項２記載の医療用サンダル。
【請求項４】
踵部の空間に通した、包帯状の平紐の、左右の端を、Ｕ字形部分の両端の長穴にそれぞれ通し、足首に括る構造。
【請求項５】
請求項１、２、３、４に記載している、台座上板の上にスポンジゴムを取り付ける。
【発明の詳細な説明】
【０００１】
〔発明の属する技術分野〕本願発明は、足に傷や、捻挫、骨折等で包帯や、ギブスをした為に、既製の履物が履けない場合に、履ける、医療用のサンダルに関するものである。
【０００２】
〔従来の技術〕従来、足に傷や、捻挫で、包帯やギブスをした場合に履ける、履物は無く、包帯やギブスで、大きく変形した足の裏に、ゴムを貼ったり、ビニールの袋を被せる等で、歩行時の汚れ等を、防いで居るのが現状である。
【０００３】
〔発明が解決しようとする課題〕従って本願発明は、履物として、歩行時の役割を果たし、又包帯やギブスの汚れを防ぎ、履く時の手軽さと、脱ぐ時の簡単さを求めた、医療用のサンダルの提供を目的とする。
【０００４】
〔課題を解決するための手段〕そこで本願の第１の発明は、台座上部の上板、材質は、プラスチック等の固い素材の物と、下部のスポンジゴムより成る、台座との間に、包帯状の平紐を通せる空間を、台座の爪先部、中央部、踵部に作り、其の各空間は、平紐が楽に通せる様に、前後に移動できる様に、平紐の巾よりも長く、上下の巾も、平紐を、一重、二重と通せる様に出来る丈広くする。又、空間の横巾を平紐の巾より長くする事は、台座に足を括る時に、括る位置は平紐を前後に移動する事で、その位置を選択できる様にする為である。又、上板の両側面に鋸の刃状の凹凸を作り、足に括った平紐が、其の凹凸の山に喰い込み、括った平紐の前後へのずれを、防止できる為の物である。
踵部の空間に通した平紐は、足首に直接括るのは、非常に括り難いが、Ｕ字形に曲がる素材で、包帯状の平紐より、厚いベルト等の両端にね長穴をを空けて、踵部の空間を通した平紐を、其の長穴に通し、Ｕ字形部材を足首の後ろに当てがって、平紐を足首の前方で括ると、簡単に楽に括れ、又、括った平紐の緩みも無く、足の歩行も、楽になります。
【０００５】
〔発明の実施の形態〕以下図面に基づき、本願発明の実施形態を説明する。図１は、医療用のサンダルの、台座を、側面から見た物である。図２は、仝上サンダルの、上より見た物である。図３は、包帯状の平紐を、サンダル台座の、各空間に通し、足に括る前の状態を、側面より現した物である。図４は、医療用サンダルに、包帯状の平紐を通し、踵部に通した平紐には、Ｕ字形部材を付けた立体図である。図５は、包帯や、ギブスで変形した足を、平紐で一重、二重と、括った足を縦横より見た図である。図６は、医療用サンダルの、図１の上板の上に、スポンジゴムを取り付けた物である。
【０００６】この実施の形態に係る、医療用サンダル、図１の１は上板。図１の６はスポンジゴムの台座、又図１、Ａ、Ｂ、Ｃ、図２の、Ａ、Ｂ、Ｃは包帯状の、平紐を通す、空間である。
【０００７】図３の３ａは、台座の空間Ａ、Ｂ、Ｃに包帯状の平紐を通した平紐である。又、図３のＨはＵ字形部材で、Ｃ’はＵ字形部材に平紐を通す長穴。
【０００８】図４は、医療用サンダルの各空間、Ａ、Ｂ、Ｃに包帯状の平紐を通し、又、Ｃに通した平紐に、Ｕ字形部材Ｈを取り付けた図で、医療用サンダルを立体的に、現した物である。
【０００９】図５は、医療用サンダルの縦横から見た立体図で、８は変形した足。３ａは、包帯状の平紐。５は、ゴム通し様道具。
【００１０】以上、本願の第１の発明は、上板プラスチックの板状の物と、其の下部のスポンジゴム状の台座の間に、長方形の空間を作り、其の空間に包帯状の平紐を通して、傷や捻挫、骨折などの治療で、包帯やギブスを付けて既製の靴やサンダルを、履けない変形した足を、平紐で足の寸法に関係なく、履くことが出来、足の歩行にも役立つ。
【００１１】本願の第２の発明は、上板と台座の間の長方形の空間に通す平紐を、包帯やギブスを付けて、変形した足の括り良い場所を、前後に選択して、括る事が出来て、医療用サンダルとして、足に履く事が出来る。
【００１２】本願の第３の発明は、踵部の空間に通した平紐は、足首に直接括るのは、括り難く、括れても、足の歩行時等の、足の動きで、括った紐が緩みやすいが、Ｕ字形部材を使う事で、簡単に足首に括れる効果と、括った平紐の緩みを防ぐ効果を有る。
【００１３】本願の第４の発明は、上板の両側面に、鋸の刃の様な凹凸を作り、空間に通した平紐を、足に括った時に、平紐が凹凸部に喰い込んで、平紐の前後への移動を防ぎ、括った紐の緩みを防ぐ効果がある。
【００１４】本願第５の発明は、上板の上に、スポンジゴムを取り付ける事に依り、包帯やギブスを付けた、足裏の凹凸な状態を修復して、又、足の裏と医療用のサンダルとの平行性を作り、安定した歩行の助けになる。
【図面の簡単な説明】
【図１】サンダル台の、側面より示した、側面図である。
【図２】サンダル台の、上部より示した、平面図である。
【図３】サンダル台に、包帯状の平紐を通し、足に括り付けれる状態を示した物である。
【図４】サンダルに、包帯やギブスで変形した足に、医療用サンダルを、履いた状態を示した物。
【図５】台座に包帯状の平紐を、ゴム通し様の道具で通し、又踵部に通した平紐をＵ字形部材の長穴に通した物。
【図６】台座の上板に厚みのあるスポンジゴムを乗せた物。
【符号の説明】
１　　　　　上板。プラスチック等の、板状の物。
１’　　　　鋸刃状の凹凸。
２　　　　　スポンジゴム状の物。
３ａ　　　　包帯状の平紐。
Ａ、Ｂ、Ｃ　空間。
５　　　　　ゴム通し様道具。
６　　　　　台座
Ｈ　　　　　Ｕ字形部材
Ｃ’　　　　Ｕ字形部材の長穴
８　　　　　包帯やギブスで、変形した足。
３ｂ’　　　包帯状の平紐を、二重に、空間に通した一端。
９　　　　　スポンジゴム。
【図１】
2004105672.tif 000003
【図２】
2004105672.tif 000004
【図３】
2004105672.tif 000005
【図４】
2004105672.tif 000006
【図５】
2004105672.tif 000007
【図６】
2004105672.tif 000008